(57)【要約】【課題】  携帯電話基地局用の電気機器が収納される収納箱の内部の空調を行う空調装置において、簡単な構成により、空調装置が最大冷却能力となった場合でも、収納箱内部の過度の冷却を防止できるようにする。【解決手段】  収納箱１０内の空気を吸い込むための吸い込みダクト７０と、吸い込みダクトから吸い込まれた空気を冷却する冷却器２０と、冷却器２０で冷却された空気を収納箱１０へ吹き出すための吹き出しダクト８０とを備え、吸い込みダクト７０と吹き出しダクト８０との間には、収納箱１０内の空気を吸い込み、この吸い込まれた空気を冷却器２０を迂回させて、再び収納箱１０へ吹き出すバイパス流路９０が設けられるとともに、冷却器２０側へ流す風量とバイパス流路９０へ流す風量とを調節する風量調節手段としてのダンパー１００が設けられている。【選択図】        図１
2005055059.tif 000002
【特許請求の範囲】
【請求項１】
発熱機器が収納される収納箱（１０）の内部の空調を行う発熱機器の空調装置において、
前記収納箱（１０）内の空気を吸い込むための吸い込みダクト（７０）と、
前記吸い込みダクト（７０）から吸い込まれた空気を冷却する冷却器（２０）と、
前記冷却器（２０）で冷却された空気を前記収納箱（１０）へ吹き出すための吹き出しダクト（８０）とを備え、
前記吸い込みダクト（７０）と前記吹き出しダクト（８０）との間には、前記収納箱（１０）内の空気を吸い込み、この吸い込まれた空気を前記冷却器（２０）を迂回させて、再び前記収納箱（１０）へ吹き出すバイパス流路（９０）が設けられるとともに、前記冷却器（２０）側へ流す風量と前記バイパス流路（９０）へ流す風量とを調節する風量調節手段（１００）が設けられていることを特徴とする発熱機器の空調装置。
【請求項２】
前記風量調節手段は、ドア手段（１００）であることを特徴とする請求項１に記載の発熱機器の空調装置。
【請求項３】
前記発熱機器は、携帯電話基地局用の電気機器であることを特徴とする請求項１または２に記載の発熱機器の空調装置。
【発明の詳細な説明】
【技術分野】
【０００１】
本発明は、発熱機器が収納される収納箱の内部の空調を行う発熱機器の空調装置に関し、例えば、携帯電話基地局用の空調装置等に用いて好適である。
【背景技術】
【０００２】
この種の空調装置としては、例えば、携帯電話基地局用の空調装置が知られている。携帯電話基地局では、整流器、送受信モデムおよび送信アンプ等の携帯電話基地用の電気機器が収納箱としての局舎内に収納されている。これらの電気機器は使用時等において発熱する発熱機器である。
【０００３】
そして、この局舎に付属して空調装置が設けられており、当該局舎内の空気温度を検出し、その検出温度が所定範囲内となるように空調装置の能力（空調能力）を調節することにより、局舎内に配置された発熱機器を冷却するようにしている。
【発明の開示】
【発明が解決しようとする課題】
【０００４】
ところで、上記したような従来の空調装置では、通常、局舎すなわち収納箱内の空気の温度を検出する温度センサの検出温度に基づいた電気的な運転制御を行うことにより、空調能力（冷却能力）を調節していた。
【０００５】
つまり、温度センサから検出された収納箱内の温度を、空調装置における制御部へフィードバックし、このフィードバック情報に基づいて制御部から信号を送り、空調装置の空調能力を制御するようにしていた。
【０００６】
しかしながら、このような制御方法では、空調能力が最大冷却能力となったときの運転時において、空調装置から収納箱内への吹き出し温度が露点温度以下となり、収納箱内にて結露が生じる可能性がある。
【０００７】
例えば、湿り空気線図から考えた場合、収納箱からの吸い込み空気について、温度が３０．９℃、湿度が２２．６％の条件であるとき、収納箱内の露点温度は１０．８℃となる。
【０００８】
このような条件のとき、空調能力が最大冷却能力になって、収納箱内への吹き出し空気について、温度が７．６℃、湿度が７０％になると、当該吹き出し空気温度は露点温度以下になり、結露が生じてしまう。
【０００９】
このような結露を防止するには、収納箱内における結露温度を求め、空調装置から収納箱内へ吹き出される吹き出し空気温度が、結露温度よりも下がらないようにすることが必要となる。
【００１０】
その方法としては、一つには、収納箱内に温度センサと湿度センサを設け、収納箱内の空気温度や湿度を求め、この求められた空気温度および湿度から計算等により露点温度を求める方法が考えられる。
【００１１】
また、もう一つの方法としては、収納箱内に温度センサを設け、収納箱内の湿度はほぼ一定とみなしたうえで、検出された収納箱内の温度と当該一定とみなされた湿度とから、露点温度を求める方法が考えられる。
【００１２】
しかしながら、前者の方法では、温度センサと湿度センサの二つのセンサが必要であるとともに、露点温度を決定するために温度および湿度という二つの情報を処理する必要があることから、構成や制御システムが複雑化するという問題がある。
【００１３】
また、後者の方法では、収納箱内の湿度を一定とみなしているため、露点温度の決定において正確さが欠如することは避けにくくなる。そのため、実際には、収納箱内への吹き出し空気温度が露点温度以下になってしまい、収納箱にて結露が発生する可能性が高くなってしまう。
【００１４】
本発明は、上記点に鑑み、発熱機器が収納される収納箱の内部の空調を行う発熱機器の空調装置において、簡単な構成により、空調装置が最大冷却能力となった場合でも、収納箱内部の過度の冷却を防止できるようにすることを目的とする。
【課題を解決するための手段】
【００１５】
上記目的を達成するため、請求項１に記載の発明では、発熱機器が収納される収納箱（１０）の内部の空調を行う発熱機器の空調装置において、前記収納箱（１０）内の空気を吸い込むための吸い込みダクト（７０）と、前記吸い込みダクト（７０）から吸い込まれた空気を冷却する冷却器（２０）と、前記冷却器（２０）で冷却された空気を前記収納箱（１０）へ吹き出すための吹き出しダクト（８０）とを備え、前記吸い込みダクト（７０）と前記吹き出しダクト（８０）との間には、前記収納箱（１０）内の空気を吸い込み、この吸い込まれた空気を前記冷却器（２０）を迂回させて、再び前記収納箱（１０）へ吹き出すバイパス流路（９０）が設けられているとともに、前記冷却器（２０）側へ流す風量と前記バイパス流路（９０）へ流す風量とを調節する風量調節手段（１００）が設けられていることを特徴としている。
【００１６】
それによれば、吸い込みダクト（７０）と吹き出しダクト（８０）との間に、収納箱（１０）から空気を吸い込み冷却器（２０）を迂回させて収納箱へ吹き出すバイパス流路（９０）を設けるとともに、風量調節手段（１００）によって冷却器（２０）側へ流す風量とバイパス流路（９０）へ流す風量とを調節することができる。
【００１７】
そのため、冷却器（２０）にて冷やされた比較的冷たい空気と冷却器（２０）を迂回してくる比較的温かい空気との両方の空気を混合し、この混合空気を収納箱（１０）へ吹き出すことができることから、収納箱（１０）内の温度が過度に冷却するのを防止することができる。
【００１８】
つまり、本発明では、空調装置が最大冷却能力で運転されることによって、冷却器（２０）にて冷やされた空気が露点温度よりも低温の空気になった場合であっても、収納箱（１０）へ吹き出される吹き出し空気は、冷却器（２０）を迂回した比較的温かい空気との混合空気となる。
【００１９】
そのため、吹き出しダクト（８０）から吹き出される吹き出し空気の温度を露点温度よりも高くすることが容易に実現でき、その結果、収納箱（１０）内において結露を防止することができる。
【００２０】
以上のように、本発明によれば、バイパス流路（９０）を設けるとともに、風量調節手段（１００）によって冷却器（２０）側へ流す風量とバイパス流路（９０）へ流す風量とを調節するという簡単な構成により、空調装置が最大冷却能力となった場合でも、収納箱内部の過度の冷却を防止することができる。
【００２１】
請求項２に記載の発明では、前記風量調節手段は、ドア手段（１００）であることを特徴としている。
【００２２】
このように、風量調節手段としてはドア手段（１００）を採用することができる。具体的に、ドア手段とは、板ドア、スライドドア、フィルムドア等の手段を採用することができる。
【００２３】
また、請求項３に記載の発明では、前記発熱機器は、携帯電話基地局用の電気機器であることを特徴としている。
【００２４】
このように、発熱機器としては、携帯電話基地局用の電気機器とすることができる。つまり、上記請求項１または請求項２に記載の空調装置は、携帯電話基地局用の空調装置として適用することができる。
【００２５】
ここで、携帯電話基地局用の電気機器としては、具体的には、商用電源等の電源から供給される電力を整流する整流器、携帯電話と最寄りの交換局等との間で送受信される信号を処理する送受信モデム、および携帯電話へ発信する電波を増幅させる送信アンプ等が挙げられる。
【００２６】
なお、上記各手段の括弧内の符号は、後述する実施形態に記載の具体的手段との対応関係を示す一例である。
【発明を実施するための最良の形態】
【００２７】
以下、本発明の実施形態について図に基づいて説明する。本実施形態は、本発明に係る発熱機器の空調装置を携帯電話基地局用の電子機器や電気機器等を冷却する装置、すなわち携帯電話基地局用の冷却装置に適用したものであり、図１は、この冷却装置の概略構成図である。
【００２８】
携帯電話基地局としての収納箱１０は、いわゆる局舎といわれるものである。この収納箱１０は、材質は特に限定されないが、樹脂や金属等により作られたものにできる。
【００２９】
この収納箱１０内には、図示しないが、携帯電話基地局用の種々の電気機器が収納されている。そして、これら電気機器は使用時において発熱する発熱機器であり、冷却が必要なものである。
【００３０】
携帯電話基地局用の種々の電気機器としては、具体的には、商用電源等の電源から供給される電力を整流する整流器、携帯電話と最寄りの交換局等との間で送受信される信号を処理する送受信モデム、及び携帯電話へ発信する電波を増幅させる送信アンプ等の電気機器等が挙げられる。
【００３１】
なお、整流器は、送受信モデムや送信アンプ等の通信機器に直流電力を供給するものである。また、携帯電話基地局としての収納箱（局舎）１０は、断熱性の高い密閉空間を構成するもので、外部から収納箱１０内に熱が進入することが抑制されている。
【００３２】
そして、上記整流器等の収納箱１０内の発熱機器は、収納箱１０内の空気（室内空気）の温度を調節することによりその温度が適正温度となるように冷却されている。本実施形態では、室内空気の温度を調節（冷却）する冷却装置として、蒸気圧縮式冷凍機が用いられている。
【００３３】
なお、蒸気圧縮式冷凍機とは、低圧冷媒を蒸発させることにより冷熱を生成するとともに、蒸発した冷媒を圧縮して高温高圧として吸熱した熱を放熱するものである。
【００３４】
そして、この冷却装置としての蒸気圧縮式冷凍機は、冷媒を蒸発させる蒸発器２０、冷媒を減圧する減圧装置（図示せず）、収納箱１０内の空気を蒸発器２０に供給して蒸発器２０にて冷却された空気を再び収納箱１０内に戻す室内ファン３０、高温・高圧冷媒の熱を収納箱１０外の空気（大気）中に放熱する放熱器４０、放熱器４０に冷却風を送風する室外ファン５０、及び冷媒を吸入圧縮する圧縮機６０等から構成されている。
【００３５】
ここで、図１に示すように、蒸発器２０、上記減圧装置、室内ファン３０、放熱器４０および圧縮機６０は、冷却装置を区画形成するケーシング１１０に収納されており、室外ファン５０はケーシング１１０の壁面に取り付けられている。
【００３６】
また、蒸発器２０、上記減圧装置、放熱器４０、及び圧縮機６０は、図示しない配管等により接続され連結されており、これら連結された各部の間を、冷媒が流通するようになっている。
【００３７】
また、冷却装置には、収納箱１０の内部とケーシング１１０の内部とを連通させる吸い込みダクト７０および吹き出しダクト８０が備えられている。吸い込みダクト７０は、収納箱１０内の空気を吸い込むためのダクトであり、蒸発器２０は吸い込みダクト７０から吸い込まれた空気を冷却する冷却器として構成されている。
【００３８】
また、吹き出しダクト８０は、冷却器としての蒸発器２０で冷却された空気を収納箱１０へ吹き出すためダクト８０である。ここで、蒸発器２０、室内ファン３０、放熱器４０、圧縮機６０について簡単に述べておく。
【００３９】
蒸発器（エバポレータ）２０は、圧縮機（コンプレッサ）６０で液化され、上記減圧装置で低温低圧の状態になった冷媒を蒸発させることにより、蒸発器２０の外部を通過する空気から熱を奪い、冷たい空気にする役目を果たすものである。ここでは、蒸発器２０のタイプは特に限定されない。
【００４０】
室内ファン３０は、羽根（車）に回転エネルギーを与え、風に変換する送風機であるが、一般的には、翼の回転により半径方向に風を押し出す遠心式、翼の回転により軸方向に風を押し出す軸流（プロペラ）式、羽根車内に渦を作り羽根車内を貫流する風を発生させる貫流（クロスフロー）式の三つのタイプがある。
【００４１】
ここでは、室内ファン３０としては、いずれの送風機を用いてもよいが、図示例においては、室内ファン３０は遠心式送風機として示されている。
【００４２】
放熱器（コンデンサ）４０は、圧縮機６０から送り込まれてきた高温・高圧の冷媒ガスを冷却し、凝縮液化させるための熱交換器である。このとき放熱器４０が放出する熱量は、蒸発器２０で吸収した熱量と、圧縮機６０による圧縮により与えられた熱量との和である。ここでは、放熱器４０のタイプは特に限定されない。
【００４３】
圧縮機６０は、図示しないエンジン等からの駆動力を受け、蒸発器２０で気化した低温・低圧の冷媒を吸入、圧縮して、高温・高圧になったガスを放熱器４０に送り出す役目をするものである。ここでは、圧縮機６０としては密閉式の電動圧縮機が用いられるが、非密閉式のものであってもよく、タイプは特に限定されない。
【００４４】
なお、図１に示す冷却装置の例では、室外ファン５０および圧縮機６０が、それぞれ二つずつ配設されたものとして示されているが、室外ファン５０および圧縮機６０はそれぞれ一つずつであってもかまわない。
【００４５】
このような冷却装置の基本動作は次の通りである。室内ファン３０の作動により、ケーシング１１０内には、図１中の矢印Ｙ１に示すような空気の流れが生じる。
【００４６】
すなわち、収納箱１０の空気が吸い込みダクト７０からケーシング１１０内に吸い込まれ、吸い込まれた空気は蒸発器２０を通過して室内ファン３０を通り、吹き出しダクト８０から収納箱１０へ吹き出される。
【００４７】
このとき、蒸発器２０では、吸い込まれた空気から吸熱し冷媒を蒸発させる。この蒸発して低温・低圧となった冷媒は圧縮機６０に送り込まれ、圧縮機６０にて圧縮されて高温・高圧となる。
【００４８】
この高温・高圧となった冷媒は、放熱器４０にて放熱される。このとき、室外ファン５０の作動により放熱が促進される。こうして、蒸発器２０にて吸熱された熱は、放熱器４０にて外部に放熱される。
【００４９】
このような冷凍サイクルの作動により、収納箱１０から吸い込みダクト７０を通ってケーシング１１０内に吸い込まれた空気は、冷却器としての蒸発器２０にて吸熱され冷却される。
【００５０】
そして、冷却された空気は、室内ファン３０を通って、吹き出しダクト８０から収納箱１０へ吹き出され、収納箱１０内を冷却する。こうして、収納箱１０内の上記電気機器すなわち発熱機器が冷却されるようになっている。
【００５１】
ところで、発熱機器の空調装置としての本実施形態の携帯電話基地局用の冷却装置においては、上述したような基本的な構成に加えて、さらに次に述べるような独自の構成を採用している。
【００５２】
一つの構成として、本実施形態においては、吸い込みダクト７０と吹き出しダクト８０との間にバイパス流路９０を設けた構成を採用している。このバイパス流路９０は、収納箱１０内の空気を吸い込み、この吸い込まれた空気を蒸発器（冷却器）２０を迂回させて、再び収納箱１０へ吹き出す流路として形成されている。
【００５３】
もう一つの構成として、本実施形態では、吸い込みダクト７０と吹き出しダクト８０との間に、蒸発器２０側へ流す風量とバイパス流路９０へ流す風量とを調節する風量調節手段１００を設けた構成を採用している。ここでは、風量調節手段１００は、バイパス流路９０の開口度を変化させる開口調節機構として構成されている。
【００５４】
図１に示す例では、開口調節機構としての風量調節手段は、板ドアとしてのダンパー１００により構成されており、ダンパー１００は、バイパス流路９０における吸い込みダクト７０側に位置する入口に設けられている。
【００５５】
このダンパー１００は、その回動軸が冷却装置のケーシング１１０のうちのバイパス流路９０を構成する部分の壁面に、支持された状態となっている。このダンパー１００は、例えばサーボモータやステップモータ等の図示しない駆動手段により作動するようになっており、バイパス流路９０の入口の開口度を段階的もしくは連続的に変化させるようになっている。
【００５６】
ここでは、ダンパー１００は、初期状態すなわち非作動状態においては、図１中の破線で示す状態に位置しており、それによって、バイパス流路９０の入口が閉じられた状態となっている。
【００５７】
また、図１中の実線で示すダンパー１００の状態では、バイパス流路１００の入り口が開いた状態となっている。そして、例えば、ダンパー１００は、図１中の破線で示すダンパー１００の位置から、同図中の破線矢印に沿って動き、実線で示されるダンパー１００の位置まで回動可能となっている。
【００５８】
このダンパー１００は、例えば、収納箱１０内の温度や吹き出しダクト８０から収納箱１０内へ吹き出される吹き出し空気の温度に基づいて作動制御される。
【００５９】
具体的には、これら収納箱１０内の温度や吹き出し空気温度は、収納箱１０内の適所に温度センサ（図示しない）を設け、当該温度センサにて検出するようにできる。そして、当該温度センサによって検出された温度情報に基づいて、ダンパー１００が作動制御される。
【００６０】
そして、例えば、冷却装置の冷却能力が最大能力かまたはある一定以上の能力となり、収納箱１０内の温度または吹き出し空気温度が一定温度よりも低くなると、ダンパー１００が回動し、バイパス流路９０の入口が開く。
【００６１】
こうしてバイパス流路９０が開くと、室内ファン３０が作る空気流れによって、図１中の矢印Ｙ２に示すように、バイパス流路９０中に空気の流れが形成される。つまり、収納箱１０内の空気の一部は、蒸発器２０および室内ファン３０を通らずに、バイパス流路９０を通り、吹き出しダクト８０から収納箱１０へ吹き出される。
【００６２】
一方、収納箱１０内の空気のうちバイパス流路９０を通らない空気は、上述したとおり、蒸発器２０にて冷却されて室内ファン３０を通り、吹き出しダクト８０へ送られる。そして、この蒸発器２０にて冷却された空気とバイパス流路９０を通り蒸発器２０を迂回してきた空気とが、吹き出しダクト８０において混合され、この混合された状態で収納箱１０内へ吹き出される。
【００６３】
なお、図１中の矢印Ｙ１および矢印Ｙ２に示したようなバイパス流路９０を含む冷却装置内の空気の流路は、冷却装置を区画形成するケーシング１１０、吸い込みダクト７０、吹き出しダクト８０およびケーシング１１０内に形成された仕切壁１２０によって構成されるものである。
【００６４】
また、これらケーシング１１０、ケーシング１１０内の仕切壁１２０、吸い込みダクト７０および吹き出しダクト８０を構成する材料としては、例えば樹脂や金属あるいはセラミックス等の材料を採用することができ、当該冷却装置として使用可能なものであれば、その材質は特に限定されるものではない。
【００６５】
このように、本実施形態では、蒸発器（冷却器）２０にて冷やされた比較的冷たい空気と冷却器２０を迂回してくる比較的温かい空気との両方の空気を混合し、この混合空気を収納箱１０へ吹き出すことができる。このことから、収納箱１０内の温度が過度に冷却するのを防止することができる。
【００６６】
つまり、本実施形態では、本冷却装置が最大冷却能力で運転されることによって、蒸発器２０にて冷やされた空気が露点温度よりも低い温度の空気になった場合であっても、収納箱１０へ吹き出される吹き出し空気は、蒸発器２０を迂回した比較的温かい空気と当該露点温度よりも低い温度の空気とが混合された混合空気となる。
【００６７】
そのため、吹き出しダクト８０から吹き出される吹き出し空気の温度を露点温度よりも高くすることは容易に実現することができ、その結果、収納箱１０内において結露を防止することができる。
【００６８】
以上のように、本実施形態によれば、吸い込み空気を蒸発器（冷却器）２０を迂回させて吹き出すためのバイパス流路９０を設けるとともに、風量調節手段としてのダンパー１００によって蒸発器２０側へ流す風量とバイパス流路９０へ流す風量とを調節するという簡単な構成により、冷却装置が最大冷却能力となった場合でも、収納箱１０内部の過度の冷却を防止することができる。
【００６９】
ここで、ダンパー１００によって蒸発器（冷却器）２０側へ流す風量とバイパス流路９０へ流す風量とを調節する場合の一例を示しておくが、もちろん、この例に限定するものではない。
【００７０】
上記「課題」の欄において述べたが、収納箱１０からの吸い込み空気について、温度が３０．９℃、湿度が２２．６％の条件であるとき、収納箱１０内の露点温度は１０．８℃となる。
【００７１】
そして、もし、図１に示す冷却装置において、バイパス流路９０を設けない場合には、最大冷却能力で運転すると、収納箱１０内への吹き出し空気について、温度が７．６℃、湿度が７０％となり、吹き出し空気温度は露点温度以下となり、収納箱１０内において結露が生じてしまう。
【００７２】
本実施形態では、この条件において、バイパス流路９０へ流す風量を吸い込み空気全体の２０％程度とし、蒸発器２０側へ流す風量を８０％程度とすることにより、吹き出し空気温度は１２．３℃とすることができ、露点温度よりも高い温度とすることができる。それにより、収納箱１０内の結露防止が可能となる。
【００７３】
（他の実施形態）
上記図１に示すバイパス流路９０では、吸い込みダクト７０の終端部と吹き出しダクト８０の始端部とを連通した構成としたが、例えば、図２に示すようなバイパス流路の構成を採用することもできる。
【００７４】
図２は、バイパス流路の変形例を示す概略構成図であるが、バイパス流路９０は吸い込みダクト７０と吹き出しダクト８０のそれぞれ途中部（中間部）を連結するように形成されている。
【００７５】
この変形例の場合においても、上記図１に示す例と同様、ダンパー１００は、図２中の破線で示すダンパー１００の位置（すなわちバイパス流路９０が閉の状態）から、同図中の破線矢印に沿って実線で示されるダンパー１００の位置まで回動可能となっている。そして、ダンパー１００の作動に伴い、上記実施形態と同様、図２中の矢印Ｙ２に示すように、バイパス流路９０中に空気の流れが形成される。
【００７６】
また、上記図１および図２に示した例では、ダンパー１００は、バイパス流路９０における吸い込みダクト７０側に位置する入口に設けられたものとしたが、それとは反対に、上記図１および図２において、ダンパー１００をバイパス流路９０における吹き出しダクト８０側に位置する出口に設けてもよい。
【００７７】
また、上記図１および図２において、ダンパー１００は、バイパス流路９０の入口および出口ではなく、これら入口と出口の間のバイパス流路９０の途中部に設けられたものとしてもよい。さらには、ダンパー１００は、吸い込みダクト７０と吹き出しダクト８０との間において複数個設けられていてもよい。
【００７８】
また、上記実施形態では、風量調節手段は板ドアであるダンパー１００により構成されたものとしたが、それ以外にも風量調節手段としては、スライドドア、ロータリードア、バタフライ弁構造の回転板等のドア手段を採用することができる。また、風量調節手段としては、ドア手段以外の開口調節機構を用いてもよい。
【００７９】
また、上記実施形態では、発熱機器の空調装置として携帯電話基地局用の冷却装置に適用した例を述べたが、本発明の空調装置はこれに限定されるものではなく、発熱機器が収納される収納箱の内部の空調を行うようにした発熱機器の空調装置であれば、そのような空調装置に対して本発明を適用可能である。
【００８０】
要するに、本発明は、発熱機器が収納される収納箱１０の内部の空調を行う発熱機器の空調装置において、収納箱１０内の空気を吸い込むための吸い込みダクト７０と、吸い込みダクト７０から吸い込まれた空気を冷却する冷却器２０と、冷却器２０で冷却された空気を収納箱１０へ吹き出すための吹き出しダクト８０とを備え、吸い込みダクト７０と吹き出しダクト８０との間に、収納箱１０内の空気を吸い込み冷却器２０を迂回させて、再び収納箱１０へ吹き出すバイパス流路９０を設けるとともに、冷却器２０側へ流す風量とバイパス流路９０へ流す風量とを調節する風量調節手段１００を設けたことを要部とするものであり、他の細部構成については適宜設計変更可能である。
【図面の簡単な説明】
【００８１】
【図１】本発明の実施形態に係る発熱機器の空調装置としての携帯電話基地局用の冷却装置の概略構成図である。
【図２】バイパス流路の他の実施形態を示す図である。
【符号の説明】
【００８２】
１０…収納箱、２０…冷却器としての蒸発器、７０…吸い込みダクト、
８０…吹き出しダクト、９０…バイパス流路、
１００…風量調節手段としてのダンパー。
【図１】
2005055059.tif 000003
【図２】
2005055059.tif 000004